(57)【特許請求の範囲】
【請求項１】
互いに間隔をあけて位置する２本の棒状電極により構成され、各棒状電極の軸方向が上下方向に延びるよう配置され正電圧が印加された一組の棒状正電極と、
互いに間隔をあけて位置する２本の棒状電極により構成され、前記正電極と対向するとともに各棒状電極の軸方向が上下方向に延びるよう配置され負電圧が印加された一組の棒状負電極と、
前記対向する電極間の上部に配置され、帯電処理をされた選別材料を投入するための投入口と、
前記棒状電極の下部に配置され、前記帯電処理され、前記棒状正電極と棒状負電極とにより発生した電界中を帯電特性に応じて偏向して落下する選別材料を回収する回収部と、
を有し、
前記投入口は、前記選別材料が同極の棒状電極間を通過するように、前記対向する電極間であって、かつ、前記同極の棒状電極間に配置され、
前記回収部は、前記対向する電極間の外側に配置されている、静電選別装置。
【請求項２】
前記棒状正電極又は／及び棒状負電極は角のない棒状電極である請求項１に記載の静電選別装置。
【請求項３】
互いに間隔をあけて位置する２本の棒状電極により構成され、各棒状電極の軸方向が上下方向に延びるよう配置され正電圧が印加された一組の棒状正電極と、
互いに間隔をあけて位置する２本の棒状電極により構成され、前記正電極と対向するとともに各棒状電極の軸方向が上下方向に延びるよう配置され負電圧が印加された一組の棒状負電極と、
前記対向する電極間であって、かつ、同極の棒状電極間に配置され、帯電処理をされた選別材料を投入するための投入口と、
前記棒状電極の下部に配置され、前記帯電処理され、前記棒状正電極と棒状負電極とにより発生した電界中を帯電特性に応じて偏向して落下する選別材料を回収する回収部と、
を有し、
前記棒状正電極又は／及び棒状負電極は、その中心軸を略中心として回転可能に設けられている静電選別装置。
【請求項４】
前記棒状正電極又は／及び棒状負電極を回転駆動する駆動部を備える請求項３に記載の静電選別装置。
【請求項５】
前記棒状正電極又は／及び棒状負電極は、選別材料の衝突衝撃により回転自在に軸支されている請求項３に記載の静電選別装置。
【請求項６】
前記棒状電極により生じる電界を制御するための補助電極を有する請求項１から５のいずれか一に記載の静電選別装置。
【請求項７】
前記棒状正電極又は／及び棒状負電極は、同極の棒状電極の上端部を互いに連結するよう設けられた補助電極を有する請求項６に記載の静電選別装置。
【請求項８】
前記対向する棒状電極よりも投入口に対して外側に対向して配置され、かつ、落下方向に対向間隔が広がるように傾いて配置される板状補助電極を有する請求項６又は７に記載の静電選別装置。
【発明の詳細な説明】
【技術分野】
【０００１】
本発明は、帯電処理した異なる成分の複数種類の選別材料を、電圧を印加した電極により生じた電場に投入して、選別材料の帯電特性に応じて分離、選別する静電選別装置に関するものであり、特に選別のための電場を生じさせる電極に関するものである。
【背景技術】
【０００２】
静電選別装置は、プラスチック類などの比重差が小さい複数の選別材料を選別する場合によく用いられている。選別対象となり得るプラスチック類は多種存在し、例えば、ポリ塩化ビニル（ＰＶＣ）、ポリエチレンテレフタレート（ＰＥＴ）、ポリプロピレン（ＰＰ）、ポリエチレン（ＰＥ）、ポリスチレン（ＰＳ）、アクリロニトリルスチレン（ＡＳ）、アクリロニトリル・ブタジエン・スチレン共重合樹脂（ＡＢＳ）、メタクリル樹脂（ＰＭＭＡ）、ポリアミド樹脂（ＰＡ）などが挙げられる。この中で、例えば、ポリスチレン（ＰＳ）とアクリロニトリル・ブタジエン・スチレン共重合樹脂（ＡＢＳ）の比重や、ポリ塩化ビニル（ＰＶＣ）とポリエチレンテレフタレート（ＰＥＴ）の比重は、ほとんど同じであり、それらが混在する被処理物を選別する際に静電選別装置は効果的である。【０００３】
従来から存在する静電選別装置を、図１４を用いて説明する。図１４は、基本的な静電選別装置の概念図である。静電選別装置は、正電圧が印加される板状電極（１４０１）と負電圧が印加される板状電極（１４０２）とが、向き合うように配置されている。選別材料は、あらかじめ摩擦などにより帯電させておく。選別材料は、帯電序列に従って、一方（１４０３）は負に帯電し、もう一方（１４０４）は正に帯電する。これらの選別材料は、向き合って配置される板状電極間に投入される。負に帯電した選別材料は、正電圧が印加される板状電極に引き寄せられ、また、正に帯電した選別材料は、負電圧が印加される板状電極に引き寄せられる。このように、板状電極に引き寄せられながら落下することにより、負に帯電した選別材料と正に帯電した選別材料とが、分離してそれぞれの容器（１４０５、１４０６）に回収される。また、分離が不明瞭なものが、その中間の容器（１４０７）に回収される。このように分離が不明瞭となってしまう原因としては、例えば、選別材料に帯電した電荷量にばらつきが生じ、帯電した電荷量が小さい選別材料が生じてしまうことや、電極に印加される電圧が低いことにより選別材料を引き寄せる力が弱いことなどが挙げられる。【０００４】
そこで、選別精度を高めるために電極に印加する電圧を高くした場合には、以下のような問題が生じることになる。図１５を用いて説明する。印加電圧を高くした正の板状電極（１５０１）と負の板状電極（１５０２）との間に、負に帯電した選別材料（１５０３）と正に帯電した選別材料（１５０４）とを投入した場合に、印加される電圧が高いため選別材料が強い力で引き寄せられることになり、選別材料が板状電極に衝突してしまうことがある。衝突した選別材料は、衝突した衝撃で跳ね返り、結果的に分離が不明瞭な回収容器（１５０５）に落下してしまう。このように分離精度を高めるために印加電圧を上げると、かえって分離精度が低下してしまうという問題が生じてしまう。【０００５】
そこで、選別材料が衝突する頻度を低下させることにより、分離精度を高める技術が提案されている。例えば、特開２００２−２０４９８０号公報には、板状電極を、選別材料の落下方向に沿って電極間隔が広くなるように配置したり、また、板状電極を格子状や梯子状に形成し、選別材料が当該電極を通り抜けられるようにする工夫が提案されている。
【先行技術文献】
【特許文献】
【０００６】
【特許文献１】特開２００２−２０４９８０号公報
【発明の概要】
【発明が解決しようとする課題】
【０００７】
しかしながら、板状電極を格子状や梯子状にしたとしても、格子や梯子の隙間を通り抜けることのできる選別材料の数には限りがあり、電極に衝突することによる選別精度の低下という問題に対しての十分な解決とは言えない。これは、板状電極自体が選別材料を引き寄せるという構成を採用していることに起因する。
【課題を解決するための手段】
【０００８】
そこで、上記課題を解決するために以下の静電選別装置を提供する。すなわち、第一の発明として、互いに間隔をあけて位置する２本の棒状電極により構成され、各棒状電極の軸方向が上下方向に延びるよう配置され正電圧が印加された一組の棒状正電極と、互いに間隔をあけて位置する２本の棒状電極により構成され、前記正電極と対向するとともに各棒状電極の軸方向が上下方向に延びるよう配置され負電圧が印加された一組の棒状負電極と、前記対向する電極間の上部に配置され、帯電処理をされた選別材料を投入するための投入口と、前記棒状電極の下部に配置され、前記帯電処理され、前記棒状正電極と棒状負電極とにより発生した電界中を帯電特性に応じて偏向して落下する選別材料を回収する回収部と、を有し、前記投入口は、前記選別材料が同極の棒状電極間を通過するように、前記対向する電極間であって、かつ、前記同極の棒状電極間に配置され、前記回収部は、前記対向する電極間の外側に配置されている、静電選別装置を提供する。
【０００９】
第二の発明として、前記棒状正電極又は／及び棒状負電極は角のない棒状電極である第一の発明に記載の静電選別装置を提供する。【００１０】
第三の発明として、互いに間隔をあけて位置する２本の棒状電極により構成され、各棒状電極の軸方向が上下方向に延びるよう配置され正電圧が印加された一組の棒状正電極と、互いに間隔をあけて位置する２本の棒状電極により構成され、前記正電極と対向するとともに各棒状電極の軸方向が上下方向に延びるよう配置され負電圧が印加された一組の棒状負電極と、前記対向する電極間であって、かつ、同極の棒状電極間に配置され、帯電処理をされた選別材料を投入するための投入口と、前記棒状電極の下部に配置され、前記帯電処理され、前記棒状正電極と棒状負電極とにより発生した電界中を帯電特性に応じて偏向して落下する選別材料を回収する回収部と、を有し、前記棒状正電極又は／及び棒状負電極は、その中心軸を略中心として回転可能に設けられている静電選別装置を提供する。
【００１１】
第四の発明として、前記棒状正電極又は／及び棒状負電極を回転駆動する駆動部を備える第三の発明に記載の静電選別装置を提供する。【００１２】
第五の発明として、前記棒状正電極又は／及び棒状負電極は、選別材料の衝突衝撃により回転自在に軸支されている第三の発明に記載の静電選別装置を提供する。【００１３】
第六の発明として、前記棒状電極により生じる電界を制御するための補助電極を有する第一の発明から第五の発明のいずれか一に記載の静電選別装置する。【００１４】
第七の発明として、前記棒状正電極又は／及び棒状負電極は、同極の棒状電極の上端部を互いに連結するよう設けられた補助電極を有する第六の発明に記載の静電選別装置を提供する。【００１５】
第八の発明として、前記対向する棒状電極よりも投入口に対して外側に対向して配置され、かつ、落下方向に対向間隔が広がるように傾いて配置される板状補助電極を有する第六の発明又は第七の発明に記載の静電選別装置を提供する。
【発明の効果】
【００１６】
本発明により、選別材料が電極に衝突することを防止し、優れた分離精度及び回収率を担保できる静電選別装置を提供する。
【図面の簡単な説明】
【００１７】
【図１】実施形態１の静電選別装置の概念を示す概念図。
【図２】棒状電極の概念図。
【図３】実施形態１の静電選別装置の概念を示す図。
【図４】補助電極を有する棒状電極の三次元解析モデルを示す図。
【図５】棒状電極の三次元解析モデルを示す図。
【図６】電界強度の解析結果を示す図
【図７】補助電極を有する棒状電極の概念を示す概念図。
【図８】棒状電極の配置の概念を示す概念図。
【図９】補助電極を有する棒状電極の概念を示す概念図。
【図１０】板状補助電極を有する静電選別装置の概念を示す概念図。
【図１１】実施形態１の静電選別装置の具体例を示す図。
【図１２】実施形態１の静電選別装置の具体例における試用結果。
【図１３】実施形態２の静電選別装置における棒状電極の概念を示す概念図。
【図１４】従来の静電選別装置の概念を示す概念図。
【図１５】従来の静電選別装置における問題点を示す概念図。
【発明を実施するための形態】
【００１８】
以下、本発明を実施するための形態について、図面を用いて説明する。なお、本発明は、これらの実施形態に何ら限定されるべきものではなく、その要旨を逸脱しない範囲において、種々なる態様で実施し得る。
【００１９】
実施形態１は、主に請求項１、２、６、７、８などに関する。実施形態２は、主に請求項３、４などに関する。実施形態３は、主に請求項５などに関する。
＜実施形態１＞
＜実施形態１  概要＞
【００２０】
本実施形態の静電選別装置は、正電圧が印加された少なくとも一組の棒状正電極と、負電圧が印加された少なくとも一組の棒状負電極とを、対向するよう配置することを特徴とするものである。このように棒状電極を一組にして各棒状電極に電圧を印加することにより、板状電極を配置して電場を生じさせるのと同様の効果を得るとともに、一組の棒状電極間を選別材料が通過することにより、選別材料が電極に衝突することを防止して選別精度及び回収率を高めることが可能な静電選別装置を提供することができる。
＜実施形態１  構成＞
【００２１】
図１は、本実施形態に係る静電選別装置の概念の一例を示す図である。静電選別装置（０１００）は、正電圧が印加された一組の棒状正電極（０１０１、０１０２）と、前記棒状正電極と対向するよう配置され負電圧が印加された一組の棒状負電極（０１０３、０１０４）と、前記電極の上部に配置され、帯電処理により正に帯電した正選別材料（０１０５）と負に帯電した負選別材料（０１０６）を投入するための投入口（０１０７）と、投入口から投入され偏向して落下する選別材料を回収する回収部（０１０８）とを有する。
【００２２】
本実施形態に係る静電選別装置は、少なくとも一組の棒状正電極と、少なくとも一組の棒状負電極とを向き合わせることで、板状正電極と板状負電極とを向き合わせることにより生じる電場と同様の電場を生じさせる。この電場に帯電処理された選別材料を投入して、正に帯電している材料は負電極側へ、負に帯電している材料は正電極側へ、その選別材料の帯電特性に応じて偏向させて落下させることにより選別回収するものである。ここで、「一組の棒状正電極」とは、平行に配置した一揃いの棒状電極をいう。図１の場合は、２本の棒状電極を一組の棒状正電極とし、それらの棒状電極に同等の電圧を印加することで電場を生じさせるようにしている。また、図２に示すように３本の棒状電極を用いる場合には、１本目の棒状電極（０２０１）と２本目の棒状電極（０２０２）とで擬似的に一の板状電極を形成することができるとともに、２本目の棒状電極（０２０２）と３本目の棒状電極（０２０３）とでさらに一の板状電極を疑似的に形成することができる。
【００２３】
「棒状正（負）電極」の本数を増やし、それに応じて投入口のサイズや数を適宜選択することにより、選別効率の向上を図ることができる。投入口は、選別材料が棒状電極に衝突せず、その間を通過し、偏向落下による選別可能な位置に設けられることが好ましく、例えば、棒状電極を３本とした場合には、１本目と２本目の棒状電極の間に選別材料が通過するように投入口（０２０４）を設けるとともに、２本目と３本目の棒状電極の間に選別材料が通過するように投入口（０２０５）を設けることが好ましい。このようにすることで、選別精度、回収率を維持しつつ、選別装置の処理能力を増やすことができる。
【００２４】
図１に示した静電選別装置は独立した２本の棒状電極により電界を生じさせているが、他の態様として、棒状電極により生じる電界を制御するための補助電極を備える構成としてもよく、特に投入口近傍の電界強度を強化するよう設けられていることが好ましい。例えば、図３に示す静電選別装置のように、２本の電極の上端部を逆Ｕ字型形状に連結し、補助電極（０３０４、０３０５）として機能させてもよい。この場合には、投入口（０３０３）の近くに位置する補助電極（０３０４、０３０５）からも電界が生じ、投入口付近でも強い電界強度が得られる。そのため、選別材料に対して投入当初の段階で正負それぞれの棒状電極側へ引き寄せる力がより強く作用し、効率よく分離され選別効果をより高めることができる。
【００２５】
図３に示した２本の電極の上端部に逆Ｕ字型形状の補助電極を有する場合と、図１に示した独立した２本の棒状電極を用いた場合との電界強度の違いを、図４〜図６を用いて説明する。図４は、逆Ｕ字型形状の補助電極を有する棒状電極の電界強度を解析するための三次元解析モデルを示すものであり、図４（ａ）は、その斜視図を示したものである。図４（ｂ）は、Ｘ軸−Ｚ軸面を示したものである。図４（ｃ）は、Ｘ軸−Ｙ軸面を示したものである。また、図５は、図４と同様に、補助電極のない一対の棒状電極の電界強度を解析するための三次元解析モデルを示したものである。図６は、電界強度の解析結果を示したものである。図示したように、逆Ｕ字型の補助電極を有する棒状電極の電界強度（０６０１）は、棒状電極の電界強度（０６０２）よりも大きいことがわかる。
【００２６】
補助電極の他の例を図７に示す。図７（ａ）は、３本の棒状電極の端部にアーチ型の補助電極を設けた例を示すものである。また、図７（ｂ）は、３本の棒状電極の端部に直線状に連結するように設けられた補助電極の例を示すものである。なお、棒状電極の上端部を連結するように設けられる補助電極は棒状に限られず、図９に示すような板状としてもよい。
【００２７】
図９は、他の態様の補助電極の例を示すものである。棒状正電極（０９０１）と一組の棒状負電極（０９０２）の上端部には、それぞれに板状の補助電極（０９０３、０９０４）が設けられている。投入口の付近に補助電極を配置することにより、図３に示す逆Ｕ字型の補助電極と同様に投入口付近で大きな電界強度を得ることができる。これにより、選別材料に対してより強く引き寄せる力が働くことになり、選別の精度を高めることができる。なお、投入口との鉛直方向における相対位置を調節することにより、投入される選別材料が補助電極に衝突や吸着することを回避することができる。
【００２８】
さらに別の態様にて補助電極を用いることもできる。補助電極を加えた別の態様を図１０に示す。静電選別装置（１０００）は、棒状正電極（１００１、１００２）と棒状負電極（１００３、１００４）とを有し、さらに、板状の正の補助電極（１００５）と板状の負の補助電極（１００６）とを有する。この板状補助電極は、対向する棒状電極よりも投入口（１００７）に対して外側に対向して配置され、かつ、落下方向に沿って対向間隔が広がるように、それぞれが傾いて配置される。板状補助電極を投入口に近づけて配置することにより、投入当初の段階で選別材料に対してより強く引き寄せる力が働くことになり、選別の精度を高めることができる。板状補助電極の上端部の位置を鉛直方向において投入口の位置と同等にするとともに、回収部に向けて板状電極間の間隔を広げるように配置することにより、投入される選別材料が板状補助電極に衝突や吸着することを回避することができる。
【００２９】
棒状正電極（０１０１、０１０２）には、正電圧が印加される。棒状電極は「角のない」ものが好ましい。「角のない」とは、棒状の電極の表面において、とがって突出した部分がないことを意味する。これは、絶縁破壊によるコロナ放電を抑制し、選別するための電場が失われたり乱れてしまうことによる選別精度の低下を防止するためである。図１においては、角のない棒状正電極として断面が略円形となる棒状電極を示している。他にも、断面が楕円や卵型などの棒状電極であってもよい。なお、棒状電極の上面及び底面の周縁部をセラミックス等の絶縁材料などで被覆することが好ましい。
【００３０】
上述したように、棒状電極は「角のない」ものが好ましいが、上記の断面が略円形に限定するものではない。角のある棒状電極はコロナ放電などを生じさせてしまうおそれがあるが、放電が生じにくい形状を採用すればよい。例えば、断面形状が多角形であっても角をなだらかにしてもよいし、あるいは、棒状電極の表面を絶縁材料で被覆するなどして、放電が生じにくいようにすればよい。
【００３１】
棒状電極は、正極側と負極側とが互いに略平行となるように配置され、かつ、地上面と略垂直方向に配置されることが好ましい。しかし、そのような配置に限定するものではなく、例えば、投入口側における電極間の距離よりも回収部側における電極間の距離を長くしてもよいし、あるいは、その逆であってもよい。また、地上面と略平行方向に配置することを除外するものでもない。また、同極性の棒状電極同士の間隔についても、等距離に限定するものではなく、投入口側における電極間の距離よりも回収部側における電極間の距離を長くしてもよいし、あるいは、その逆であってもよい。
【００３２】
棒状正電極を構成するそれぞれの電極には、高圧電源から正電圧が印加され、また、高圧電源の他方は接地される。図１に示すように一組の棒状正電極に正電圧を印加することにより、それら電極間および電極の周辺には電場が生じ、正電圧が印加された板状電極が配置されるのと同様に、負に帯電した選別材料を引き寄せることができる。
【００３３】
棒状負電極は、棒状正電極と対向するように配置される。棒状負電極と棒状正電極との配置及び形態は、同様にすることが好ましい。例えば、棒状正電極間の距離と、棒状負電極間の距離、太さ、長さは、揃えることが好ましい。
【００３４】
一組の棒状正電極と一組の棒状負電極との配置例を、図８を用いて説明する。図８は、四つの各棒状電極の位置関係を上方から見た図である。一組の棒状正電極を構成する各棒状電極（０８０１、０８０２）は、略平行に配置され、また、一組の棒状負電極を構成する各棒状電極（０８０３、０８０４）も、略平行に配置される。そして、一組の棒状正電極と一組の棒状負電極とが対向して配置され、それら四つの棒状電極の断面中心を線で結ぶとしたなら、結ばれた線が、上方から見た場合に、略長方形を形作るように配置される。
【００３５】
選別材料は帯電処理をされて投入口に投入される。「帯電処理」とは、選別材料となる材料に電荷を帯びさせるための処理である。例えば、帯電処理の方法として、コロナ帯電法、摩擦帯電法、誘導帯電法等を挙げることができる。以下に、帯電された選別材料を静電選別する一実施例を、図１を用いて説明する。
【００３６】
プラスチックは、任意の前処理工程を経て、例えば、粉砕機などにより粉砕され粒状にした後、帯電処理が施されて選別材料とすることができる。選別材料の大きさとしては、粒径１〜１５ｍｍ程度が好ましく、２〜１２ｍｍ程度がより好ましく、３〜１０ｍｍ程度が、取扱性、選別性においてさらに好ましい。帯電する電荷の極性は、それぞれの材質の帯電序列に応じたものとなる。摩擦帯電処理する場合、例えば、サイクロン装置や回転式分散ディスクなどの公知の技術を用いることができる。ポリスチレン（以下、ＰＳと略称）とアクリロニトリル・ブタジエン・スチレン共重合樹脂（以下、ＡＢＳと略称）とが混在する選別材料を、摩擦帯電処理した場合には、ＡＢＳの方が、帯電序列が上位なので、正に帯電し、ＰＳは負に帯電することになる。
【００３７】
このように正に帯電した正選別材料（０１０５）と、負に帯電した負選別材料（０１０６）との混合体を投入口（０１０７）から投入する。上述した摩擦帯電装置の排出部と、選別装置の投入口とを連結し、選別材料を連続的に搬送可能に構成することが好ましい。投入口は、棒状正電極と棒状負電極との間の略中央部上側に配置される。投入口の開口面積、形状等は、投入する選別材料の形状、量、棒状電極の配置、電極に印加される電圧などに応じて、適宜、設定することができる。
【００３８】
上記のような構成をとることにより、帯電処理され正に帯電した選別材料は、棒状負電極側に引き寄せられつつ落下し、棒状電極の間を通過して負電極側にて回収される。負選別材料も同様に、棒状正電極側に引き寄せられ回収される。
【００３９】
回収部（０１０８）は、投入口から投入され、静電気力により帯電量に応じて偏向して落下する選別材料を回収する。例えば、正の電極により引き寄せられる負選別材料は正の電極側にて回収し、負の電極により引き寄せられる正選別材料は負の電極側で回収し、帯電しない選別材料は投入口から自由落下した位置で回収できる。これにより、異種材料が混在する選別材料を、材質ごとに分離して回収することができる。また、選別材料の帯電の強弱に応じて回収することもできる。すなわち、強く帯電した選別材料と弱く帯電した選別材料とでは、帯電の極性が同じであっても、電場に引き寄せられる力が相違するため落下地点が異なり、各々を選別して回収することができる。回収部は、例えば、複数のケースを一列に並べる構成としてもよいし、一のケースに複数の仕切りを設ける構成としてもよい。少なくとも所望のプラスチックを他のものと分離して回収できるものであればよい。
【００４０】
投入口は、対向する正負の棒状電極間の上部に配置されていれば、必ずしも正負の棒状電極間の中央部でなくてもよい。これは、帯電していない選別材料と正負いずれかに帯電した選別材料とを選別する場合や、同極であって帯電の強弱により選別する場合などでは、投入口の位置を中央部からずらすことで、選別精度が高くなる場合があるからである。なお、「上部」とは、少なくとも回収部に対して上方であって、棒状電極との関係において、相対的に上側にあるという意味である。
【００４１】
本実施形態の静電選別装置は、リサイクルの分野におけるプラスチック類、例えば、ペットボトル等の飲料用のキャップ、日用品ボトル、チューブ、食料品パック、食料品カップ、トレイ、卵パック、レジ袋、家電系廃プラスチック等の選別の他、例えば、農業分野において、収穫物と混合異物との分別などにおいても好適に活用することができる。
＜実施形態１  試用結果＞
【００４２】
本実施形態の静電選別装置の試用結果を説明する。静電選別装置の具体的な構成について図１１の（ａ）、（ｂ）を用いて説明する。本試用における静電選別装置（１１００）は、銅製の角のない棒状電極（１１０１ａ、１１０２ａ、１１０３ａ、１１０４ａ）を用いた。各棒状電極は、直径が略８０ｍｍ、長さが略９５４ｍｍである。各棒状電極と投入口の配置は以下の通りである。一組の棒状正電極を構成する各電極（１１０１ｂ、１１０２ｂ）間の距離、および、一組の棒状負電極を構成する各電極（１１０３ｂ、１１０４ｂ）間の距離は、それぞれ略２４０ｍｍである。向き合って配置される一組の正電極と一組の負電極との間の距離は、略１８０ｍｍである。投入口は、四つの棒状電極の略中央部に略長方形に開口させて配置した。投入口（１１０５ｂ）は、同極の電極を結ぶ線と平行となる一辺の長さを略１５５ｍｍとし、この辺と直交する辺の長さを略２０ｍｍとした略長方形状に開口するものである。
【００４３】
試用に際して、正電極には、略６５ｋＶの電圧を印加し、負電極には略−６５ｋＶの電圧を印加した。選別材料は、概ね８ｍｍ前後の大きさに破砕したＰＳとＡＢＳを１対１にて配合し、あらかじめ摩擦帯電させておいたものである。回収部（１１０６ａ）は、正電極側から負電極側に向けて一列に１３に仕切って区画した回収容器を用いた。このうち、正電極側から５番目までの区画にて回収されたものをＰＳとして選別されたものとする。また、正電極側から数えて９番目から１３番目の区画にて回収されたものをＡＢＳとして選別されたものとする。６番目から８番目の区画にて回収されたものは、いずれにも選別されなかったものとした。
【００４４】
図１２（ａ）は、上記の条件において３回行った試用結果を示したものである。「純度（％）」と「回収率（％）」について、ＰＳを選別する場合を例として説明する。まず、純度とは、ＰＳであるとして回収された選別材料の全質量に対する、実際のＰＳの質量の割合である。また、回収率とは、選別装置に投入されたＰＳの全質量に対する、ＰＳであるとして回収された選別材料の質量の割合である。
【００４５】
図１２（ａ）に示すように、ＰＳについては、純度が９９．８〜１００パーセント、回収率が９７．８〜９８．８パーセントという結果が得られ、ＡＢＳについては、純度が１００パーセント、回収率が９６．３〜９７．６パーセントという結果が得られた。
【００４６】
図１２（ｂ）は、ＰＳとＡＢＳの質量比を７：３とした場合の結果である。ＰＳについては、純度が９９．９パーセント、回収率が９７．１パーセントという結果が得られ、ＡＢＳについては、純度が９９．７パーセント、回収率が９８．７パーセントという結果が得られた。
【００４７】
図１２（ｃ）は、ＰＳとＡＢＳを、ＰＰとＰＥに代えた以外は図１２（ａ）に示したのと同じ条件（混合比１：１）で静電選別した結果を示すものである。ＰＰについては、純度が９９．３パーセント、回収率が８９．６パーセントという結果が得られ、ＰＥについては、純度が９９．２パーセント、回収率が８７．５パーセントという結果が得られた。
＜実施形態１  効果＞
【００４８】
本実施形態の静電選別装置により、純度、回収率の高い静電選別装置を提供することが可能となる。
＜実施形態２＞
【００４９】
本実施形態の静電選別装置は、実施形態１を基本として、棒状電極を回転させる。これにより、棒状電極に選別材料が衝突した場合でも、選別精度の低下を抑制することが可能となり、また、電極に付着した選別対象を、例えば、ブラシ等を用いて除去することを容易に行うことができる。
＜実施形態２  構成＞
【００５０】
本実施形態の静電選別装置は、実施形態１の静電選別装置において、棒状電極を所望の方向、速度で回転駆動する駆動部を設けてもよい。駆動部以外の構成は、実施形態１における静電選別装置と同様であるので、ここでの説明は省略する。
【００５１】
駆動部は、棒状電極をその中心軸を略中心として回転させる。回転させるための駆動部としては、電気モータ等の公知技術を用いることができる。棒状電極を回転させる方向を、図１３を用いて説明する。図１３は静電選別装置を上方から示した図である。一組の棒状正電極（１３０１、１３０２）は、互いに内側に向けて反対方向に回転し、棒状電極（１３０１）は時計回りに回転し、棒状電極（１３０２）は、反時計回りに回転する。また、棒状負電極（１３０３、１３０４）も、互いに内側に向けて反対方向に回転し、棒状電極（１３０３）は時計回りに回転し、棒状電極（１３０４）は反時計回りに回転する。なお、図２や図７で示したように棒状電極を３本以上有する場合、外側に配置される棒状電極を、上述したように互いに内側に向かって回転させることが好ましい。また、間に挟まれる位置に配置される棒状電極（例えば、図２における２本目の棒状電極）については、いずれかの方向に、選別対象をはじき飛ばさない程度の速度でゆっくりと回転させることが好ましい。
【００５２】
棒状電極が回転することにより得られる効果は、以下のようになる。投入口から投入された負選別材料（１３０６）は、一組の棒状正電極により付与される電場より正電極側に引き寄せられる。このとき、負選別材料に帯電した電荷が高い場合には、棒状正電極（１３０１）に衝突するおそれがある。棒状正電極が上述したように回転することで、負選別材料に対して、衝突点における棒状電極の回転方向への力が加えられる。これにより、回転しない棒状電極と衝突した場合に負選別材料が跳ね返る方向（１３０７）と比較して、より投入口から遠ざかる方向（１３０８）に跳ね返る。したがって、選別材料が棒状電極と衝突した場合であっても、衝突により投入口側へ跳ね返る確率は低下し、負選別材料として回収されるべき回収区画にて回収される。
【００５３】
また、回転する棒状電極の外周面近傍にブラシやスクレイパー等を設けることも好ましい。選別材料が棒状電極に付着した場合であっても、ブラシ等により付着した選別材料を棒状電極から除去することができる。なお、上述したように３本以上の棒状電極を有する場合には、外側の棒状電極に挟まれる位置に配置される棒状電極を回転させるとともにブラシ等の除去手段を設けることにより、選別の精度や回収率のより向上を図ることができる。
【００５４】
棒状電極が、逆Ｕ字型形状等の補助電極を有する場合には、補助電極と棒状電極とを、分割することで、棒状電極をその中心軸を略中心として回転させることができる。なお、棒状電極と補助電極に印加される電圧の極性が同じであるため、放電が生じるおそれは少ない。一方、棒状電極と補助電極との分割の端部の周縁部などを丸くして角を落としたり、当該部分をセラミックス等の絶縁材料などで被覆し、コロナ放電を抑止することが、より好ましい。
＜実施形態２  効果＞
【００５５】
本実施形態の静電選別装置により、選別材料が棒状電極に衝突した場合であっても、選別の精度の低下を極力抑えた静電選別装置を提供することができる。
＜実施形態３＞
＜実施形態３  概要＞
【００５６】
本実施形態の静電選別装置は、実施形態１又は２を基本として、棒状電極を回転自在とすることにより、衝突のエネルギーを棒状電極の回転運動に変換することにより、跳ね返る力を抑えるとともに、跳ね返る角度を変化させ、選別精度の低下を抑制することが可能な静電選別装置である。
＜実施形態３  構成＞
【００５７】
本実施形態の静電選別装置は、棒状電極が投入された選別材料の衝突衝撃により回転自在に軸支されている。棒状電極を回転自在とする構成以外については、実施形態１又は２における静電選別装置と同様であるので、ここでの説明は省略する。
【００５８】
投入口から投入される選別材料は、帯電した電荷が高い場合などには棒状電極に衝突してしまう場合が起こりえる。そこで、棒状電極をその中心軸を略中心として回転自在に軸支することで、衝突衝撃の際に、衝突する選別材料が有するエネルギーを棒状電極の回転運動のエネルギーに変換することにより、衝突した選別材料が衝突衝撃により跳ね返る力を抑える。
【００５９】
また、選別材料が回転自在な棒状電極と衝突する際に、跳ね返る角度が、回転しない棒状電極と衝突した場合のものと異なることとなる点については、実施形態２の場合と同様である。
＜実施形態３  効果＞
【００６０】
本実施形態の静電選別装置により、選別材料が棒状電極に衝突した場合であっても、選別の精度の低下を極力抑えた静電選別装置を提供することができる。
【符号の説明】
【００６１】
０１００  静電選別装置
０１０１  棒状正電極
０１０２  棒状正電極
０１０３  棒状負電極
０１０４  棒状負電極
０１０５  正選別材料
０１０６  負選別材料
０１０７  投入口
０１０８  回収部
【図１】
0005483126.tif 000002
【図２】
0005483126.tif 000003
【図３】
0005483126.tif 000004
【図４】
0005483126.tif 000005
【図５】
0005483126.tif 000006
【図６】
0005483126.tif 000007
【図７】
0005483126.tif 000008
【図８】
0005483126.tif 000009
【図９】
0005483126.tif 000010
【図１０】
0005483126.tif 000011
【図１１】
0005483126.tif 000012
【図１２】
0005483126.tif 000013
【図１３】
0005483126.tif 000014
【図１４】
0005483126.tif 000015
【図１５】
0005483126.tif 000016